(57)【要約】【課題】カビ，細菌またはウイルスをより安全で効果的に削減または不活化させ、空気浄化することが可能で、かつ使用可能であると共に、より効果的にカビや細菌を削減し、或いはウイルスを不活化することが可能で、しかもフィルターの磁力を変化できる空気調和機を提供する。【解決手段】フィルター１は、微粒子の磁性フェライト１２を不織布１１に担持することで磁場が形成される。そして、空気中に浮遊する浮遊物２が、フィルター１を通過または捕集した際に磁場を横切ることにより、電磁誘導の作用により浮遊物２に電位差が生じ、電流が流れ、細胞を分解・除去する。また、不織布１１に磁性体としての磁性フェライト１２を担持することで、より効果的にカビや細菌を削減または死滅させ、或いはウイルスを不活化することができる。しかも、コイル７に電圧を印加し、そこに電流を流して、外部磁場を発生させることで、フィルター１全体の磁力を増加できる。【選択図】図２
2011085387.tif 000002
【特許請求の範囲】
【請求項１】
磁性体を備えたフィルターを設け、
前記フィルターは、カビ，細菌またはウイルスが通過または留まった際に、前記磁性体で発生した磁力により前記カビや細菌を削減し、或いは前記ウイルスを不活化させるために、前記フィルターの母材に磁性体を担持し、前記フィルターの磁力を変化させるためにコイルを設け、電圧を印加する構成としたことを特徴とする空気調和機。
【発明の詳細な説明】
【技術分野】
【０００１】
本発明は、カビや細菌を削減し、或いはウイルスを不活化させることを目的とした空気調和機に関する。
【背景技術】
【０００２】
一般に空気調和機は、フィルターとして、薬剤（例えば特許文献１参照）を詰め込んだものが用いられている。
【０００３】
また近年、カビ、細菌などがかなり注目されており、こうしたカビ、細菌、ウイルスをより安全で効果的に削減、不活化させ、空気浄化する必要がでてきている。
【先行技術文献】
【特許文献】
【０００４】
【特許文献１】特開平１１−２４４７３０号公報
【発明の概要】
【発明が解決しようとする課題】
【０００５】
従来の方法による薬剤での抗菌および抗ウイルスのフィルターは、次のような問題点があった。それは、特定の人に対し、薬剤によるアレルギー反応を起こしたりする問題である。また、フィルターなどへの堆積物による薬剤効果低減の問題や、これに伴う堆積物などにおけるカビ、細菌、ウイルスなどの増殖の問題もあった。したがって、建物内の空気中で使用される場合、薬剤に対してアレルギー反応を起こす人がいる施設において、使用には向いていなかった。
【０００６】
そこで本発明は、上記問題に鑑み、カビ，細菌またはウイルスをより安全で効果的に削減または不活化させ、空気浄化することが可能で、かつ使用可能な空気調和機を提供することを目的とする。
【課題を解決するための手段】
【０００７】
本発明の請求項１における空気調和機は、磁性体を備えることで、フィルターに磁場が形成されるので、空気中に浮遊するカビ，細菌またはウイルスがフィルターを通過または留まった際に磁場を横切ることで、薬剤を用いることなく、安全にカビや細菌を削減し、或いはウイルスを不活化することが可能になる。また従来のようにフィルターに付着したものだけではなく、フィルターを通過する空気中の細菌やウイルスも除去可能になる。
【０００８】
さらに、母材を構成する材料に磁性体を担持したフィルターを使用することによって、より効果的にカビや細菌を削減し、或いはウイルスを不活化することが可能になると共に、コイルに電圧を印加することで、フィルターの磁力を変化させることが可能になる。
【発明の効果】
【０００９】
請求項１の発明では、薬剤を使用することなく、磁性体を用いることで、カビ，細菌またはウイルスをより安全で効果的に削減または不活化させ、空気浄化することが可能で、かつ使用可能な空気調和機を提供できる。
【００１０】
また、母材を構成する材料に磁性体を担持することによって、より効果的にカビや細菌を削減し、或いはウイルスを不活化することが可能になり、しかもフィルターの磁力を変化することができる空気調和機を提供できる。
【図面の簡単な説明】
【００１１】
【図１】本発明の第１実施例において、空気調和機に組み込まれたフィルター１の概略的な構成を示す説明図である。
【図２】本発明の第２実施例において、フィルターにコイルを設けた状態を示す説明図である。
【図３】上記各実施例において、電磁誘導によりカビ・細菌・ウイルス内に電流が流れるのを説明のためのフレミングの法則を示す図である。
【発明を実施するための形態】
【００１２】
以下、添付図面を参照しながら、本発明における空気調和機の好ましい実施例を説明する。なお、各実施例において、同一箇所には同一符号を付し、その共通する部分の説明は重複を避けるため極力省略する。
【実施例１】
【００１３】
図１は、本発明の第１実施例における空気調和機に組み込まれたフィルター１の概略的な構成図を示している。ここでのフィルター１は、母材である不織布１１に、微粒子の磁性フェライト１２を担持して構成される。なおこの場合、磁性フェライト１２を担持する母材は、不織布１１に限らずメッシュ材，布帛（ふはく），紙材などでもよい。また、こうした不織布１１や、メッシュ材若しくは布帛を構成する糸間に、磁性フェライト１２を織り込んだフィルター１でもよい。
【００１４】
この図１は、空気中に浮遊するカビ・細菌・ウイルスなどの浮遊物２が、不織布１１を通過または捕集（符号３参照）された後に、カビや細菌を死滅させ、またはウイルスを不活化（符号５参照）する状態を模式的に示している。フィルター１は、微粒子の磁性フェライト１２を不織布１１に担持することで磁場が形成され、空気中に浮遊するカビ・細菌・ウイルスなどの浮遊物２が、磁性フェライト１２を不織布１１に担持したフィルター１を通過する際に、磁場を横切ることによって浮遊物２内の磁束が変化し、電磁誘導の作用により浮遊物２内に電位差が生じ、電流が流れて電撃ショック（符号４参照）が生じ、浮遊物２を構成する細胞を分解・除去することで、カビ・細菌・ウイルスなどの浮遊物２を死滅または不活化することが可能になる。また従来のようにフィルター１に付着したものだけではなく、通過する空気中の浮遊物２も除去可能となる。
【００１５】
すなわちこれは、磁性フェライト１２がつくった磁場の中に浮遊物２が通ると、浮遊物２の大半が水で占めることにより導体なので、図３に示すフレミングの法則にしたがって、浮遊物２内に（循環する）電流が発生し、感電死する仕組みである。
【００１６】
こうして、微粒子の磁性フェライト１２を不織布１１に付着させることで、カビ・細菌・ウイルスなどの浮遊物２内に電流が流れ、カビや細菌を死滅させたり、ウイルスを不活化することが可能になる。
【００１７】
磁場の中に浮遊物２が侵入していくと電流が発生し、浮遊物２中の自由電子が磁場中の浮遊物２とともに運動していくために、電流は円軌道を描くので、浮遊物２の中に渦電流を生じる。この渦電流は磁場から力を受けることになり、浮遊物２が侵入していく方向と反対方向に力が働くことになる。したがって浮遊物２が磁場の中に侵入していくと、浮遊物２にはブレーキがかかってしまうが、フィルター１の中に透過していく間に浮遊物２は電流が発生したことによりすでに死滅してしまう。
【００１８】
以上のように、本実施例の空気調和機は、磁性体としての微粒子の磁性フェライト１２を、母材である不織布１１に担持したことを特徴にしたフィルター１を備え、カビ・細菌・ウイルスなどの浮遊物２が不織布１１を通過または捕集して留まった際に、不織布１１に担持される磁性フェライト１２で発生した磁力により、カビや細菌を削減から死滅に至らせ、或いはウイルスを不活化させるように、フィルター１を構成している。
【００１９】
この場合の空気調和機は、微粒子の磁性フェライト１２を不織布１１に添着することで、フィルター１に磁場が形成されるので、空気中に浮遊するカビ・細菌・ウイルスなどの浮遊物２が、フィルター１を通過または捕集して留まった際に磁場を横切ることにより、電磁誘導の作用により浮遊物２に電位差が生じ、電流が流れ、細胞を分解・除去することで、薬剤を用いることなく、安全にカビや細菌を削減または死滅させ、或いはウイルスを不活化することが可能になる。また従来のようにフィルター１に付着したものだけではなく、フィルター１を通過する空気中の浮遊物２も除去可能になる。
【００２０】
また磁性フェライト１２は、半永久的に磁場を発することが可能なので、粉塵量の増加でフィルター１の表面に粉塵が堆積しても、効果は低減することなく持続し、したがって堆積粉塵などにおけるカビ・細菌・ウイルスなどの浮遊物２の増殖はなくなる。
【００２１】
また、母材である不織布１１に磁性体としての磁性フェライト１２を担持し、より具体的には、不織布１１や、その他にメッシュ材，布帛または紙材などの母材を構成する糸に、磁性フェライト１２を練り込んだフィルター１を使用することによって、より効果的にカビや細菌を削減または死滅させ、或いはウイルスを不活化することが可能になる。
【実施例２】
【００２２】
図２は、本発明の第２実施例のフィルター１を示したものである。ここでは、前記磁性フェライト１２を担持する不織布１１の周囲に、線材６を巻回してなるコイル７を設けると共に、このコイル７に電圧を印加する電源（図示せず）を設けることで、フィルター１としての磁力を増加することができる構成となっている。
【００２３】
すなわち第１実施例におけるフィルター１は、カビ・細菌・ウイルスなどの浮遊物２を死滅・不活化させるものであるが、フィルター１としての磁場の大きさが一様ではなく、浮遊物２の増加につれてその効果が低減することがあり、使用する施設場所によっては、フィルター１を通過するカビ・細菌・ウイルスなどの浮遊物２を、効果的に死滅・不活化させることができない。しかし第２実施例においては、不織布１１にコイル７を設けて、そこに電圧を印加することで、コイル７に電流が流れて外部磁場が発生する。こうなると、不織布１１における各微粒子の磁性フェライト１２の磁場方向が揃う傾向が生じ、全体として向きの揃った磁場を持つようになり、フィルター１全体の磁力を増加させることができる。したがってコイル７に電圧を印加することで、フィルター１に形成される磁力を増加させることが可能となる。また、コイル７に印加する電圧を調整すれば、使用条件などに合わせて磁力を調整できることになり、さまざまな場所に応じた適切な効果を得ることができる。
【００２４】
以上のように本実施例では、フィルター１の磁力を変化すなわち増加させるために、フィルター１にコイル７を設け、このコイル７に電圧を印加するように構成されている。
【００２５】
ここでのフィルター１は、単に微粒子の磁性フェライト１２を不織布１１に添着しただけの状態では、磁性フェライト１２のそれぞれにおける磁場がランダムな方向を向いており、フィルター１全体としての磁場の大きさは一様でない。
【００２６】
そこで不織布１１に設けられているコイル７に電圧を印加し、そこに電流を流して、外部磁場を発生させることで、フィルター１における各微粒子の磁性フェライト１２の磁場方向が揃う傾向が生じ、全体として向きの揃った磁場を持つようになり、フィルター１全体の磁力を増加することができる。また、コイル７に印加する電圧を調整することで、使用条件などに合わせて磁力を調整でき、さまざまな場所に応じた適切な効果を得ることができる。
【００２７】
上記の各実施例により、老人・乳幼児・子供などの免疫力が弱い人に対し、薬剤によるアレルギー反応を起こしたり、時間経過によりフィルター１としての効果が次第に低減したりする問題を解決できる。また、フィルター１など表面に粉塵などが堆積することによる薬剤効果低減の問題や、これに伴う堆積粉塵などにおける浮遊物２の増殖の問題も解決できる。
【００２８】
したがって、建物内の空気を循環する目的で使用される場合、薬剤に対して免疫力の弱い子供、老人などの多い施設や、例えば病院および老人福祉センターなどの公共施設においても、上記各実施例におけるフィルター１を使用できる。また半永久的に磁場が形成されることにより、時間経過してもカビ・細菌・ウイルスなどの浮遊物２を死滅・不活化する効果が維持され、フィルター１の表面に粉塵などが堆積しても効果は低減しない。よって、カビ・細菌・ウイルスなどの浮遊物２がフィルター１内で増殖することはない。
【００２９】
したがって、カビ・細菌・ウイルスをより安全で効果的に死滅（削減）または不活化させて、空気浄化することが可能になり、また半永久的に使用可能である空気調和機を提供することも可能となる。
【００３０】
なお、本発明は上記実施形態に限定されるものではなく、種々の変形が可能である。例えば、空気調和機として、例えばエアコン，加湿器，除湿機などに上記各実施例のフィルター１を適用することができる。
【符号の説明】
【００３１】
１  フィルター
７  コイル
１１  不織布（母材）
１２  磁性フェライト（磁性体）
【図１】
2011085387.tif 000003
【図２】
2011085387.tif 000004
【図３】
2011085387.tif 000005